(57)【要約】【課題】操作性に優れた撮像装置を提供する。【解決手段】この撮像装置は、撮像部が設けられた本体と、この本体に収納された収納状態と本体から突出した使用状態との間における状態移行が可能なビューファインダと、ビューファインダが使用者により使用されていることを検出する第１の検出部と、状態移行に応じて第１の検出部のオンまたは第１の検出部のオフを行う制御部とを備える。【選択図】図１４
2015227901.tif 000002
【特許請求の範囲】
【請求項１】
撮像部が設けられた本体と、
前記本体に収納された収納状態と前記本体から突出した使用状態との間における状態移行が可能なビューファインダと、
前記ビューファインダが使用者により使用されていることを検出する第１の検出部と、
前記状態移行に応じて前記第１の検出部のオンまたは前記第１の検出部のオフを行う制御部と
を備えた撮像装置。
【請求項２】
前記ビューファインダは、前記状態移行の際に二以上の方向に移動する
請求項１記載の撮像装置。
【請求項３】
前記ビューファインダは、
本体部と、前記本体部に対して移動可能な可動部とを有し、
前記収納状態から前記本体部が前記筐体の上方へ突出したポップアップ状態へ移行したのち、前記ポップアップ状態から前記可動部が前記本体部の後方へ進出することにより前記使用状態に移行する
請求項２記載の撮像装置。
【請求項４】
前記制御部は、前記収納状態から前記ポップアップ状態へ移行する際に前記第１の検出部のオンを行う
請求項３記載の撮像装置。
【請求項５】
前記制御部は、前記収納状態から前記ポップアップ状態への移行開始または移行完了と共に前記第１の検出部のオンを行う
請求項４記載の撮像装置。
【請求項６】
前記制御部は、前記ポップアップ状態から前記使用状態への移行開始または移行完了と共に前記第１の検出部のオンを行う
請求項４記載の撮像装置。
【請求項７】
前記制御部は、前記ポップアップ状態から前記収納状態へ移行する際に前記第１の検出部のオフを行う
請求項３記載の撮像装置。
【請求項８】
前記制御部は、前記使用状態から前記ポップアップ状態への移行開始または移行完了と共に前記第１の検出部のオフを行う
請求項７記載の撮像装置。
【請求項９】
前記制御部は、前記ポップアップ状態から前記収納状態への移行開始または移行完了と共に前記第１の検出部のオフを行う
請求項７記載の撮像装置。
【請求項１０】
複数のメカキーをさらに備え、
前記制御部は、前記第１の検出部により前記ビューファインダが使用者により使用されていることが検出された場合とそれ以外の場合とで、前記複数のメカキーの機能の割り当てを変更する
請求項１記載の撮像装置。
【請求項１１】
前記本体に対して回転可能に設けられた表示部と、
前記表示部の回転を検出する第２の検出部と
をさらに備え、
前記制御部は、前記第２の検出部により前記表示部の回転が検出された場合に、前記第１の検出部の動作停止を実行するモードの選択を行う
請求項１記載の撮像装置。
【請求項１２】
前記制御部は、前記状態移行に応じて電源オンまたは電源オフをさらに行う
請求項１記載の撮像装置。
【請求項１３】
表示部をさらに備え、
前記制御部は、前記状態移行に応じて前記表示部の表示動作の開始または終了を行う
請求項１記載の撮像装置。
【請求項１４】
前記ビューファインダは電子ビューファインダであり、
前記制御部は、前記表示部に複数の情報を表示させ、前記電子ビューファインダに前記複数の情報のうちの一部の情報を表示させる
請求項１３記載の撮像装置。
【請求項１５】
前記ビューファインダは電子ビューファインダであり、
前記制御部は、前記収納状態から前記使用状態への移行の際に前記電子ビューファインダの動作を起動させる
請求項１記載の撮像装置。
【請求項１６】
前記ビューファインダは電子ビューファインダであり、
前記制御部は、前記使用状態から前記収納状態への移行の際に前記電子ビューファインダの動作を停止させる
請求項１記載の撮像装置。
【請求項１７】
前記制御部は、前記収納状態から前記使用状態への移行の際に電源オンを行う
請求項１記載の撮像装置。
【請求項１８】
前記制御部は、前記使用状態から前記収納状態への移行の際に電源オフを行う
請求項１記載の撮像装置。
【請求項１９】
表示部と、電源オンを行う電源ボタンとをさらに備え、
前記ビューファインダは電子ビューファインダであり、
前記制御部は、前記電源ボタンにより電源オンが行われた際、前記電子ビューファインダが前記収納状態にあるときは前記表示部のみに表示動作を実行させ、前記電子ビューファインダが前記使用状態にあるときは前記表示部および前記電子ビューファインダの双方に表示動作を実行させる
請求項１記載の撮像装置。
【請求項２０】
記憶部をさらに備え、
前記ビューファインダは、本体部と、前記本体部に対して移動可能な可動部と、観察者に応じた視度調整を行う視度調整部とを有し、
前記記憶部には、前記視度調整部による前記使用者に応じた視度調整のデータが格納される
請求項１記載の撮像装置。
【発明の詳細な説明】
【技術分野】
【０００１】
本開示は、ビューファインダを備えた撮像装置に関する。
【背景技術】
【０００２】
従来、携帯時の小型化を考慮してビューファインダを本体に沿わせて折り畳み可能、または本体内部に収納可能とした撮像装置が提案されている（例えば、特許文献１または２参照。）。使用者はビューファインダを手前に引き出して使用するようになっている。
【先行技術文献】
【特許文献】
【０００３】
【特許文献１】特開昭６０−１２１４３１号公報
【特許文献２】特開２００１−２６８４０２号公報
【発明の概要】
【発明が解決しようとする課題】
【０００４】
しかしながら、最近では、さらなる全体構成の小型化と共に操作性の向上が求められている。
【０００５】
本開示はかかる問題点に鑑みてなされたもので、その目的は、操作性に優れた撮像装置を提供することにある。
【課題を解決するための手段】
【０００６】
本開示の一実施形態としての撮像装置は、撮像部が設けられた本体と、この本体に収納された収納状態と本体から突出した使用状態との間における状態移行が可能なビューファインダと、そのビューファインダが使用者により使用されていることを検出する第１の検出部と、状態移行に応じて第１の検出部のオンまたは第１の検出部のオフを行う制御部とを備えたものである。
【０００７】
本開示の一実施形態としての撮像装置では、ビューファインダの状態移行に応じて、ビューファインダが使用者により使用されていることを検出する第１の検出部のオンまたはオフが制御部により実行される。このため、使用者は、ビューファインダの状態移行の操作とは別の操作として第１の検出部のオンまたはオフの操作を改めて行う必要がない。
【発明の効果】
【０００８】
本開示の一実施形態としての撮像装置によれば、操作性が向上し、使用者による円滑な撮影が可能となる。なお、本開示の効果はこれに限定されるものではなく、以下の記載のいずれの効果であってもよい。
【図面の簡単な説明】
【０００９】
【図１】本開示の一実施の形態に係る撮像装置の外観を表す斜視図である。
【図２】図１に示した撮像装置の外観を表す他の斜視図である。
【図３】図１に示した撮像装置を表す正面図である。
【図４】図１に示した撮像装置において、本体からビューファインダを上方へ突出させた状態を表す斜視図である。
【図５】図１に示した撮像装置において、本体からビューファインダを上方へ突出させた状態を表す他の斜視図である。
【図６】図１に示した撮像装置の、使用状態におけるビューファインダを表す斜視図である。
【図７】図１に示した撮像装置の、使用状態におけるビューファインダを表す他の斜視図である。
【図８】図１に示した撮像装置におけるビューファインダの収納状態での構成を表す斜視図である。
【図９】図１に示した撮像装置におけるビューファインダの使用状態での構成を表す斜視図である。
【図１０Ａ】図８に示したビューファインダユニットの収納状態における構成を表す正面図および側面図である。
【図１０Ｂ】図８に示したビューファインダユニットの使用状態における構成を表す側面図である。
【図１１Ａ】図１に示した撮像装置における変形例としてのビューファインダの収納状態での概略構成を表す側面図である。
【図１１Ｂ】図１１Ａに示したビューファインダの使用状態における概略構成を表す側面図である。
【図１２】図１に示した撮像装置において、表示部の表示面を被写体側に向けた状態を表す斜視図である。
【図１３Ａ】図１に示した撮像装置の要部を拡大して表す斜視図である。
【図１３Ｂ】図１３Ａに示したアイセンサを含む断面を拡大して表す断面図である。
【図１４】図１に示した撮像装置の概略構成を表すブロック図である。
【図１５】第１の実施の形態に係る撮像装置において実行される処理を表すフォローチャートである。
【図１６Ａ】第２の実施の形態に係る撮像装置において実行される処理を表すフォローチャートである。
【図１６Ｂ】図１６Ａに示した一部の処理を詳細に表すフローチャートである。
【図１６Ｃ】図１６Ａに示したフローチャートの変形例である。
【図１７Ａ】第３の実施の形態に係る撮像装置において実行される処理を表すフォローチャートである。
【図１７Ｂ】図１７Ａに続く処理を表すフローチャートである。
【発明を実施するための形態】
【００１０】
以下、本開示の実施の形態について図面を参照して詳細に説明する。なお、説明は以下の順序で行う。
１．第１の実施の形態（ビューファインダの状態移行に応じて電源のオン・オフ動作を行うようにした撮像装置）
２．第２の実施の形態（ビューファインダの状態移行に応じて表示部の表示動作等を行うようにした撮像装置）
３．第３の実施の形態（ビューファインダの状態移行に応じてアイセンサのオン・オフ動作を行うようにした撮像装置）
【００１１】
＜第１の実施の形態＞
［１．撮像装置１の構成］
図１〜図３を主に参照して本開示の第１の実施の形態に係る撮像装置１の基本構成について説明する。図１は、本開示の第１の実施の形態に係る撮像装置１を前方から眺めた外観構成を表したものである。図２は、撮像装置１を後方から眺めた外観構成を表したものである。図３は、図１に示した撮像装置１を表す正面図である。
【００１２】
撮像装置１は小型デジタル一眼カメラであり、例えば、本体１０と、ビューファインダ２０と、撮像レンズユニット３０とを備えている。ビューファインダ２０は、本体１０に収納された収納状態Ｐ１（図３）と、本体１０から外部へ突出（露出）した使用状態Ｐ３（後出）との間における状態移行が可能なものである。なお、図３では、収納状態Ｐ１にあるビューファインダ２０を破線で示し、収納状態Ｐ１から使用状態Ｐ３に至る途中のポップアップ状態Ｐ２にあるビューファインダ２０を実線で示している。ビューファインダ２０については後に詳述する。この撮像装置１では、後出の制御部６により、ビューファインダ２０の状態移行に応じて電源オンの動作および電源オフの動作の少なくとも一方を実行するモードの選択を行うようになっている。
【００１３】
以下の説明では、本体１０の前後方向Ｚにおいて、レンズ側（被写体側）を前方とし表示部側（像側）を後方とする。なお、前後方向Ｚは、本体１０に接続されるレンズ（図示せず）の光軸方向と同じである。また、本体１０の左右方向をＸ方向とし、左右は本体１０の後方から前方を向いた状態で表す。本体１０の上下方向をＹ方向とする。
【００１４】
本体１０は、例えば直方体の形状を有しており、前面１０Ａにボディマウント１１が設けられ、内部に撮像素子２Ａおよび画像信号処理部３（いずれも後出）などが収納されている。本体１０の背面１０Ｂには、表示部１２が設けられている。
【００１５】
ボディマウント１１は、本体１０と交換式の撮像レンズユニット３０との機械的または電気的な接続を行うものであり、ユーザは用途に合わせてレンズを選択して本体１０に接続可能となっている。撮像レンズユニット３０は、１以上のレンズ３０Ａを収容するレンズ鏡筒３０Ｂと、そのレンズ鏡筒３０Ｂの周囲に設けられたレンズリング３０Ｃ，３０Ｄとを有している。レンズリング３０Ｃ，３０Ｄは、例えば絞り値やシャッタースピード、撮影モードなどの手動での設定、またはフォーカシングもしくはズーミングの手動操作を行うためのメカキーであり、入力部８（後出）の一部を構成する。なお、レンズリングの数は特に限定されない。レンズリングを設けなくともよい。
【００１６】
撮像素子２Ａは、撮像レンズユニット３０などと共に撮像部２（後出）を構成し、撮像レンズユニット３０を通して被写体像を受光面に結像させて光電変換により電気信号を生成するものである。撮像素子２Ａとしては、ＣＣＤ（Charge Coupled Device）やＣＭＯＳ（Complementary Metal Oxide Semiconductor）イメージセンサなどが用いられる。
【００１７】
表示部１２は、撮像レンズユニット３０を通して得られる撮像中のスルー画像、本体１０の内部の記憶媒体７Ａ（後出）などに記録された画像、または電池残量もしくは撮影条件などの各種情報を表示面１２Ａに表示するものである。撮影条件としては、例えばシャッタースピード、絞り値、ｆナンバー、水平度、あるいはフラッシュの有無などが挙げられる。また、表示部１２はタッチパネル部（図示せず）を有し、ユーザーインターフェース画像などの操作画像を表示し、タッチパネルとして機能するものであってもよい。表示部１２は、例えば液晶パネル（ＬＣＤ）や有機ＥＬ（Electro Luminescence）パネルなどにより構成されている。後に詳述するように、表示部１２は本体１０に対して回転可能に接続されていてもよい。また、制御部６により、例えばビューファインダ２０の状態移行に応じて表示部１２の表示動作の開始または終了が行われる。
【００１８】
ビューファインダ２０は、撮影される像を目視確認して構図設定やピント合わせ等を行うためのものであり、例えば光学ビューファインダ（ＯＶＦ：Optical View Finder）または電子ビューファインダ（ＥＶＦ：Electronic View Finder）により構成されている。電子ビューファインダである場合、ビューファインダ２０は、覗き窓２１（図１から図３には図示せず、後出の図７参照。）の奥に、例えば接眼レンズ（図示せず）と液晶パネルや有機ＥＬパネルなどの表示画面（図示せず）とを有する。ビューファインダ２０における表示画面には、撮像中のスルー画像のほか、電池残量や撮影条件（例えばシャッタースピード、絞り値、ｆナンバー、水平度、フラッシュの有無）などの各種情報が表示される。ビューファインダ２０における表示画面には、表示部１２に表示されるものと同一のものが表示されてもよいし、異なるものが表示されてもよい。ビューファインダ２０の表示画面には、制御部６により、例えば表示部１２に表示される複数の情報のうちの一部の情報のみを表示させるようにしてもよい。また、制御部６により、例えばビューファインダ２０の状態移行に応じてビューファインダ２０の表示動作などを起動させるようにしてもよい。
【００１９】
ビューファインダ２０の構成について、図１から図３に加え、図４から図７を参照してさらに説明する。図４は、本体１０からビューファインダ２０を上方へ突出させたポップアップ状態Ｐ２の撮像装置１を前方から眺めた場合の外観斜視図であり、図５は、その状態の撮像装置１を後方から眺めた場合の外観斜視図である。また、図６，図７は、それぞれ使用状態Ｐ３におけるビューファインダ２０を前方または後方から眺めた場合の斜視図である。ビューファインダ２０は、収納状態Ｐ１とポップアップ状態Ｐ２と使用状態Ｐ３との３つの状態を取りうる。収納状態Ｐ１とは、ビューファインダ２０が本体１０に収納された状態であり、すなわちビューファインダ２０を使用者（撮像者）が使用しない状態である。なお、図１〜図３では、ビューファインダ２０の全体が本体１０の内部に完全に収容された状態を示しているが、ビューファインダ２０の一部が露出していてもよい。ポップアップ状態Ｐ２は、ビューファインダ２０全体が本体１０から上方へ大きく突出した状態をいう。ポップアップ状態Ｐ２では、収納状態Ｐ１と比較してビューファインダ２０におけるより多くの部分が本体１０から外へ露出している。また、使用状態Ｐ３は、ビューファインダ２０を使用者（撮像者）が使用するにあたって適切な状態をいい、ポップアップ状態Ｐ２からビューファインダ２０の一部である可動部２２２（後出）が本体部２２１（後出）の後方へ稼働（進出）した状態をいう。この使用状態Ｐ３では、使用者に、ビューファインダ２０の内部に設けられた表示画面の画像がぼやけずに明確に視認される。上記のように、ビューファインダ２０は、収納状態Ｐ１と本体１０外に突出した使用状態Ｐ３との間の状態移行の際、二以上の方向（上下方向および前後方向）に移動可能である。これにより、撮像装置１の全体構成が小型化されている。
【００２０】
ビューファインダ２０は、収納状態Ｐ１（図１から図３参照。）から、例えば図４および図５に示したように本体１０の上方（矢印Ａ１の方向）に伸長し、ポップアップ状態Ｐ２に至る。ビューファインダ２０は、ポップアップ状態Ｐ２から、さらに図６および図７に示したように可動部２２２が本体１０の後方（矢印Ａ２の方向）に進出して使用状態Ｐ３に至る。ビューファインダ２０を本体１０の上方に伸長させることにより、覗き窓２１は本体１０の上方に位置する。これにより、ビューファインダ２０が鏡筒や表示部１２の上方に位置する通常のデジタル一眼カメラの構成に近付け、使用者にとっての使いやすさを向上させることが可能となる。また、ビューファインダ２０の一部を本体１０の後方に進出させることにより、眼までのクリアランスを小さくし、遮光性を高めることが可能となる。
【００２１】
ビューファインダ２０の本体１０の後方への進出量としては、例えば、ビューファインダ２０の接眼面２２Ａが本体１０の背面１０Ｂ（表示部１２）よりも後方に突出することが好ましい。これにより、眼とのクリアランスが小さくなると共に、使用者の鼻が表示部１２に当たってしまうおそれが小さくなり、使いやすさが向上するからである。
【００２２】
本体１０は、上面１０Ｃに、ビューファインダ２０が本体１０に出入りする開口部１３を有することが好ましい。これにより、ビューファインダ２０が本体１０に出入りする開口部２１を本体１０の背面１０Ｂ以外に設けることが可能となり、鏡筒の大口径化、表示部１２の大画面化への対応が容易になる。ちなみに、開口部１３を本体１０の背面１０Ｂに設ける場合には、本体１０のサイズを大きくするか、あるいは本体１０のサイズを同じにするなら、鏡筒は小さくなり、それにより倍率は低く、明るさは暗く、撮像素子のサイズも小さくなる。また、表示部１２のサイズも小さくなる。
【００２３】
なお、図１から図３に示した開口部１３の位置は、例えば通常のデジタル一眼カメラではストロボが配置される場所である。本実施の形態ではストロボ１４の配置を変更し、開口部１３よりも中央寄りの位置に配置している。
【００２４】
ビューファインダ２０は、上述した図３に示したように、ボディマウント１１と重ならない位置に設けられていることが好ましい。これにより、ビューファインダ２０と鏡筒との干渉を回避することが可能となる。なお、ビューファインダ２０は、背面視において表示部１２と重なっていてもよい。
【００２５】
ビューファインダ２０の詳細な構成について、図１から図７に加え、図８から図１０Ａ，１０Ｂを参照してさらに説明する。図８は、図１〜図３に示した収納状態Ｐ１におけるビューファインダ２０の外観を表す斜視図である。図９は、図４〜図７に示したポップアップ状態Ｐ２および使用状態Ｐ３におけるビューファインダ２０の外観を表す斜視図である。図１０Ａは、図８に示したビューファインダユニット２２の、収納状態Ｐ１およびポップアップ状態Ｐ２における構成を表す正面図および側面図である。図１０Ｂは、図８に示したビューファインダユニット２２の、使用状態Ｐ３における外観を表す側面図である。
【００２６】
ビューファインダ２０は、例えば、ビューファインダユニット２２と、化粧部材２３と、第１移動機構２４と、第２移動機構２５（図１０Ａおよび図１０Ｂ参照。）と、視度調整部２６（図６、図７および図９参照）とを有している。
【００２７】
ビューファインダユニット２２は、ポップアップ状態Ｐ２および使用状態Ｐ３において本体１０の外部に露出する部分であり、例えば、本体１０に対して上方向へ伸長する本体部２２１と、この本体部２２１に対して後方へ伸長する可動部２２２とを有する。上述した覗き窓２１（図５および図７参照。）と、覗き窓２１の奥に設けられた接眼レンズおよび表示画面（いずれも図示せず）とを有している。
【００２８】
化粧部材２３は、ビューファインダユニット２２の覗き窓２１以外の側面および背面を被覆し、ビューファインダ２０および撮像装置１の外観を整えるものである。化粧部材２３は、例えば、上面化粧部材２３Ａと、側面化粧部材２３Ｂとを有している。上面化粧部材２３Ａは、ビューファインダ２０が収納状態Ｐ１にある場合には本体１０の上面１０Ｃの外装部材の一部を構成する。側面化粧部材２３Ｂは、ビューファインダ２０がポップアップ状態Ｐ２および使用状態Ｐ３にある場合にビューファインダユニット２２の側面および背面を被覆している。
【００２９】
側面化粧部材２３Ｂは、ボディマウント１１を回避する切欠き２３Ｃを有していることが好ましい。これにより、図３に示したように、ビューファインダ２０を、ボディマウント１１を回避して配置することが可能となる。
【００３０】
第１移動機構２４は、ビューファインダユニット２２を本体１０の上方に持ち上げるものであり、例えば、機械的移動機構により構成されている。具体的には、第１移動機構２４は、ベースフレーム３１と、スライドフレーム３２と、第１弾性部材３３と、掛止機構３４とを有している。ベースフレーム３１およびスライドフレーム３２は、スライドフレーム３２がベースフレーム３１に挿通された二重筒構造をなしている。なお、ベースフレーム３１およびスライドフレーム３２の内部は空洞になっており、ストロボ１４の電池などを収納可能となっていることが好ましい。
【００３１】
ベースフレーム３１は、例えば、金属板などよりなるベースフレーム本体３１Ａと、突出部３１Ｂと、回動規制部３１Ｃと、押さえ部３１Ｄとを有している。ベースフレーム本体３１Ａは、例えば、本体１０に固定されている。また、ベースフレーム本体３１Ａには、第１弾性部材３３の一端部３３Ａが固定されている。さらに、ベースフレーム本体３１Ａには、第１弾性部材３３の他端部３３Ｂの移動範囲を規定する長孔３１Ｅが設けられている。突出部３１Ｂは、掛止機構３４を保持する部分であり、回動規制部３１Ｃおよび押さえ部３１Ｄと一体的に構成されている。回動規制部３１Ｃは、掛止機構３４の回動範囲を規制するものであり、掛止機構３４のガイド溝３４Ｂ内に設けられている。押さえ部３１Ｄは、掛止機構３４の鉤部３４Ｃがスライドフレーム３２の孔３２Ｂから脱落するのを抑制するものである。
【００３２】
スライドフレーム３２は、例えば、金属板などよりなるスライドフレーム本体３２Ａと、孔３２Ｂとを有している。スライドフレーム本体３２Ａは、ねじ３２Ｃ（図９参照。）によりビューファインダユニット２２を覆う化粧部材２３に固定されている。孔３２Ｂは、掛止機構３４の鉤部３４Ｃを受容することにより、ビューファインダ２０を収納状態Ｐ１に保持するものである。
【００３３】
第１弾性部材３３は、ベースフレーム３１とスライドフレーム３２との間に設けられ、スライドフレーム３２を上方に付勢するものである。第１弾性部材３３は、例えば、ばねにより構成されていることが好ましい。ばねの種類は特に限定されないが、例えば、引張コイルばね、または、ねじりコイルばねにより構成されていることが好ましい。第１弾性部材３３の一端部３３Ａは、ベースフレーム３１のベースフレーム本体３１Ａに固定され、第１弾性部材３３の他端部３３Ｂはスライドフレーム３２のスライドフレーム本体３２Ａに固定されている。
【００３４】
掛止機構３４は、スライドフレーム３２の上方への移動を規制するものであり、例えば、取付部３４Ａと、ガイド溝３４Ｂと、鉤部３４Ｃと、受け部３４Ｄとを有している。取付部３４Ａは、ベースフレーム３１の突出部３１Ｂに回動可能に取り付けられている。ガイド溝３４Ｂは、掛止機構３４の回動範囲を規定するものである。ガイド溝３４Ｂ内には、ベースフレーム３１の回動規制部３１Ｃが設けられている。鉤部３４Ｃは、取付部３４Ａの一か所から下方に向けて延長されている。鉤部３４Ｃがスライドフレーム３２の孔３２Ｂに掛合することにより、ビューファインダ２０が収納状態Ｐ１に保持されるようになっている。受け部３４Ｄは、本体１０の側面１０Ｄに設けられたビューファインダ操作部（ボタン）１０Ｅを保持する部分である。非使用時には、ビューファインダ操作部１０Ｅが受け部３４Ｄに保持されることにより取付部３４Ａの回動が規制され、鉤部３４Ｃがスライドフレーム３２の孔３２Ｂに掛止した状態が維持される。使用時には、使用者がビューファインダ操作部１０Ｅをスライドさせると、ビューファインダ操作部１０Ｅが受け部３４Ｄから外れることにより、取付部３４Ａが回動し、鉤部３４Ｃがスライドフレーム３２の孔３２Ｂから外れるようになっている。
【００３５】
第２移動機構２５は、ビューファインダユニット２２の可動部２２２を本体１０の後方に進出させるものであり、例えば機械的移動機構により構成されている。具体的には、第２移動機構２５は、図１０および図１１に示したように、第２弾性部材４１を有している。第２弾性部材４１は、ビューファインダユニット２２と化粧部材２３との間に設けられ、ビューファインダユニット２２を後方（Ｚ方向）に付勢するものである。第２弾性部材４１は、例えば、ばねにより構成されていることが好ましい。ばねの種類は特に限定されないが、例えば、異形圧縮ばねにより構成されていることが好ましい。第２弾性部材４１の一端部４１Ａは、ビューファインダユニット２２の背面に固定され、第２弾性部材４１の他端部４１Ｂは化粧部材２３に固定されている。非使用時には、ビューファインダユニット２２は、本体１０の背面１０Ｂにより押さえられており、第２弾性部材４１の付勢力による移動が抑制されていることが好ましい。
【００３６】
なお、第２移動機構２５すなわち第２弾性部材４１を省略し、使用者がビューファインダユニット２２の可動部２２２を手で後方に引き出すようにすることも可能である。
【００３７】
また、上記の説明では、ビューファインダ２０を本体１０の上方に伸長させる動作を機械的移動機構である第１移動機構２４を用いて行うようにした。しかしながら、図１１Ａおよび図１１Ｂに示した変形例としての撮像装置１Ａのように、第１移動機構２４の代わりに電気的移動機構２７を用いることも可能である。
【００３８】
撮像装置１Ａは、例えば、ビューファインダユニット２２と、電気的移動機構２７とを有している。電気的移動機構２７は、ビューファインダユニット２２を本体１０の上方に持ち上げるものであり、例えば、ベースフレーム５１と、スライドフレーム５２と、ラック５３と、モータ５４とを有している。ベースフレーム５１およびスライドフレーム５２は、スライドフレーム５２がベースフレーム５１に挿通された二重筒構造をなしている。なお、ベースフレーム５１およびスライドフレーム５２の内部は空洞になっており、ストロボ１４の電池などを収納可能となっていることが好ましい。ラック５３は、スライドフレーム５２に設けられている。モータ５４は、ベースフレーム５１に固定され、ラック５３に噛み合うウォームギア５４Ａを有している。
【００３９】
非使用時には、ビューファインダ２０は、本体１０内の収納状態Ｐ１となっている（図１ないし図３参照。）。使用時には、使用者が本体１０に設けられたビューファインダ操作部（図示せず）を操作することでモータ５４が回転する。モータ５４の回転軸に取り付けられたウォームギア５４Ａとラック５３とが噛み合っていることから、ラック５３がスライドする（図１１Ｂ参照。）。これにより、スライドフレーム５２が本体１０の上方に移動し、ビューファインダユニット２２が本体１０外にポップアップする（図４および図５参照）。上昇したスライドフレーム５２およびビューファインダユニット２２は、ウォームギア５４Ａのセルフロックにより、ポップアップした位置で保持され、ポップアップ状態Ｐ２が維持される。
【００４０】
ポップアップ状態Ｐ２では、第２弾性部材４１の付勢力による可動部２２２の後方への移動は、本体１０の外装部材の背面１０Ｂにより抑制されている（図１１Ａ参照。）。しかしながら、ビューファインダユニット２２が本体１０外に進出すると、第２弾性部材４１の付勢力により可動部２２２が本体１０の後方に進出し、使用状態Ｐ３に至る（図１１Ｂ参照。）。以上により、全自動でビューファインダ２０が収納状態Ｐ１から使用状態Ｐ３へ状態移行させることができる。
【００４１】
視度調整部２６は、使用者の視力に合わせてビューファインダ２０の度数を調整するための操作部（レバー、つまみ、ダイヤル等）である。視度調整部２６は、例えばビューファインダ２０のビューファインダユニット２２の上面に設けられている。また、視度調整部２６は、収納状態Ｐ１およびポップアップ状態Ｐ２では化粧部材２３の上面化粧部材２３Ａに覆い隠されている（図１から図３参照。）。これに対し、使用状態Ｐ３では化粧部材２３の上面化粧部材２３Ａから外部へ露出して操作可能となる（図６および図７参照。）。このように視度調整部２６へのアクセスを限定することにより、意図せず視度調整部２６が操作されて設定変更されてしまうことを避けることが可能となる。また、視度調整部２６のビューファインダユニット２２の上面からの突出量が小さくなり、ビューファインダ２０を使用状態Ｐ３からポップアップ状態Ｐ２または収納状態Ｐ１に復帰させても設定がリセットされるおそれが小さくなる。よって、使用の都度、視度調整部２６を調整し直す煩雑さを省き、使用者の利便性を高めることが可能となる。なお、視度調整部２６は、機械式の操作部に限定されず、電子式の操作部であってもよい。その場合、例えば制御部６の内部の記憶部（図示せず）に使用者に応じた視度調整のデータが格納されるようにしてもよい。そのような視度調整のデータの格納は、例えば撮影動作の際、レリーズボタン１６（後出）が押下されることでなされるようにしてもよい。
【００４２】
表示部１２は、先に述べたように、本体１０に対して回転可能に設けられており、その表示面１２Ａを前方に向けることができる（図１２参照）。図１２に示した状態は使用者が使用者自身を被写体として撮像を行う自分撮りモードに対応する。
【００４３】
本体１０の上面１０Ｃには、入力部８の一部を構成する電源ボタン１５、レリーズボタン１６およびモード設定ダイヤル１７がさらに設けられている。電源ボタン１５は、撮像装置１の全体の電源オンの動作および電源オフの動作を行うものである。レリーズボタン１６は、撮影動作を行うためのものであり、例えば半押し状態および全押し状態の２つの状態を検出可能な２段階検出ボタンである。レリーズボタン１６が半押し状態になると、被写体に関する記録用画像（本撮影画像）を取得するための準備動作が行われる。ここでいう準備動作とは、例えば、ＡＦ（Automatic Focus）制御動作、ＡＥ（Automatic Exposure）制御動作等である。また、レリーズボタン１６がさらに押し込まれて全押し状態になると、本撮影画像の撮影動作が行われる。撮影動作とは、撮像素子２Ａを用いて被写体像に関する露光動作を行い、その露光動作によって得られた画像信号に所定の画像処理を施す一連の動作である。また、モード設定ダイヤル１７は、撮像装置１の各種の動作モードの設定動作を行うものである。ここでいう撮像装置１の動作モードとしては、撮影モード、撮影した画像を再生する再生モード、および外部機器との間でデータ交信を行う通信モード等が挙げられる。
【００４４】
撮像装置１は、例えば本体１０の背面１０Ｂにおけるビューファインダ２０の近辺にアイセンサ６０を備えていてもよい。アイセンサ６０は、例えば磁気センサによって、使用者（撮像者）がビューファインダ２０を覗いているか否かを検知するものであり、表示部１２による表示とビューファインダ２０による表示とを切り替えるものである。例えばアイセンサ６０が使用者の眼の接近を検知した場合、表示部１２の表示面１２Ａには画像が表示されなくなる。表示面１２Ａに画像が表示された状態のままでは、ビューファインダ２０の覗き窓２１を覗く使用者の眼に表示面１２Ａからの画像光が入射してしまい、ビューファインダ２０の内部の表示画面の視認の妨げとなるからである。
【００４５】
なお、撮像装置１は、アイセンサ６０の代わりに、例えば図１３Ａ，１３Ｂに示したように使用位置Ｐ３にあるビューファインダ２０における覗き窓２１の近傍にアイセンサ６０Ａを備えていてもよい。図１３Ａは撮像装置１の覗き窓２１の近傍を拡大して表す斜視図であり、図１３Ｂは、アイセンサ６０Ａの断面構成を表したものである。アイセンサ６０Ａは、例えば、センサ窓６１と、センサ装置６２と、反射部材６３とを有している。センサ装置６２は、センサ窓６１に対して垂直に設置されている。反射部材６３は、センサ窓６１とセンサ装置６２との間の光路ＬＰに設けられている。これにより、撮像装置１の小型化が可能となっている。センサ窓６１は、例えば、ビューファインダ２０の接眼面２２Ａ（例えば、覗き窓２１の周囲の領域、図１３Ａでは例えば左下方）に設けられている。このようにアイセンサ６０Ａをビューファインダ２０に設けることにより、眼に近い位置にアイセンサ６０Ａを設置し、検知精度を高めることが可能となる。また、収納状態Ｐ１ではアイセンサ６０Ａが本体１０内に隠れた状態となり、誤操作のおそれが小さくなる。
【００４６】
センサ装置６２は、例えば、基板６２Ａ上に受光素子６２Ｂを有し、支持部材６４上に実装されている。センサ窓６１を透過した入射光の光量変化を受光素子６２Ｂが検出することにより、使用者の眼の接近の有無を検知するようになっている。
【００４７】
反射部材６３は、鏡面で光を反射する反射面６３Ａを有しており、これにより光の進路を変更するものである。反射部材６３は、図１３Ｂに示したようにセンサ窓６１と一体の部材として設けられていてもよいし、センサ窓６１とは別の部材として設けられていてもよい。
【００４８】
図１４は、撮像装置１の全体構成を示すブロック図である。撮像装置１は、表示部１２およびビューファインダ２０のほか、撮像部２、画像信号処理部３、エンコード／デコード部４、画像メモリ５、制御部６、スピーカ６Ａ、モータ６Ｂ、記録／再生部７、入力部８および検出部９Ａ，９Ｂを有する。撮像レンズユニット３０は撮像部２に含まれる。
【００４９】
撮像部２は、撮影画像データを取得する機構である。撮像部２は、撮像レンズユニット３０のほか、例えば撮像素子２Ａ、前処理部２Ｂ、タイミングジェネレータ２Ｃおよび駆動部２Ｄなどを有する。撮像素子２Ａは、タイミングジェネレータ２Ｃから出力されるタイミング信号に基づいて駆動され、被写体からの入射光を光電変換して電荷量に変換し、アナログ撮像信号として出力する。撮像素子２Ａから出力されるアナログ撮像信号は前処理部２Ｂに出力される。前処理部２Ｂは、撮像素子２Ａにより得られたアナログ撮像信号についてゲイン調整や波形整形を行うサンプルホールド／ＡＧＣ（Automatic Gain Control）回路やビデオＡ／Ｄコンバータなどを含む。タイミングジェネレータ２Ｃは、制御部６の指令に従い撮像素子２Ａに対してタイミング信号を出力するものである。また、駆動部２Ｄは、制御部６による制御に基づき、撮像レンズユニット３０におけるフォーカシング、ズーミング、シャッタースピード調整および絞り調整などを行うものである。
【００５０】
画像信号処理部３は、撮像部２により得られた撮影画像データに対し、各種の画像信号処理、例えば階調補正処理、シェーディング補正処理、高域補正（輪郭補正）処理、あるいは手ぶれ補正処理などを施すものである。
【００５１】
エンコード／デコード部４は、画像信号処理部３による画像信号処理の施された撮影画像データについての圧縮処理、および圧縮され撮影画像データの伸張処理を行う。静止画については、例えばＪＰＥＧ（Joint Photographic Experts Group）形式などの所定の静止画形式による圧縮処理および伸張処理を行う。一方、動画については、例えばＭＰＥＧ（Moving Picture Experts Group）形式などの所定の動画形式による圧縮処理および伸張処理を行う。
【００５２】
画像メモリ５は、揮発性メモリ、例えば、ＤＲＡＭ（Dynamic Random Access Memory）で構成されるバッファメモリであり、前処理部２Ｂ、画像信号処理部３およびエンコード／デコード部４によって所定の処理が施された画像データを一時的に蓄えておくものである。
【００５３】
制御部６は、例えばＣＰＵ（Central Processing Unit）、ＲＡＭ（Random Access Memory）およびＲＯＭ（Read-Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって撮像装置１全体の制御を行う。
【００５４】
記録／再生部７は、例えばフラッシュメモリなどの半導体メモリ、または、磁気ディスク、光ディスク、光磁気ディスクなどの記録媒体７Ａと、メディアドライブ７Ｂとを有する。メディアドライブ７Ｂは、制御部６による制御に基づき、エンコード／デコード部４で得られた静止画形式または動画形式の圧縮撮影画像データの記録媒体７Ａへの記録と、その記録媒体７Ａに記録された圧縮撮影画像データの各種データの再生（読み出し）とを行う。
【００５５】
入力部８は使用者が撮像装置１に対する各種操作入力を行う部分であり、例えば表示部１２に含まれるタッチパネル部や、本体１０に設けられた電源ボタン１５、レリーズボタン１６およびモード設定ダイヤル１７、あるいは撮像レンズユニット３０に設けられたレンズリング３０Ｃ，３０Ｄなどである。入力部８は、使用者の入力操作を検出し、その入力操作に応じた情報（操作入力情報）を制御部６に伝達する。
【００５６】
検出部９Ａは、表示部１２の回転を検出するセンサを有しており、表示部１２が図１〜図７に示した通常撮影状態にあるか、または図１２に示した反転状態にあるかの検出を行うものである。すなわち検出部９Ａは、表示部１２が第１の回転状態（表示面１２Ａが後方を向いている通常撮影状態）および第２の回転状態（表示面１２Ａが前方を向いている反転状態）のいずれであるかを検出するものである。一方、検出部９Ｂは、ビューファインダ２０が収納状態Ｐ１と使用状態Ｐ３との間のどの状態にあるのかを検出するものである。検出部９Ａ，９Ｂとしては、機械的方法、電磁的方法、あるいは光学的方法を利用したセンサが適用される。検出部９Ａにより、表示部１２が自分撮り状態にある（反転位置にある）と検出された場合、制御部６は、アイセンサ６０の動作停止を実行するモードの選択を行うようになっている。
【００５７】
［２．撮像装置１による撮影動作］
この撮像装置１は、例えば図１５に示したように動作する。図１５は、撮像装置１の起動から停止までの一連の動作の流れを表す第１のフローチャートである。撮像装置１では、制御部６により、ビューファインダ２０の状態移行に応じて電源オンの動作および電源オフの動作の少なくとも一方を実行するモードの選択が可能となっている。例えば、制御部６は、ビューファインダ２０が収納状態Ｐ１から使用状態Ｐ３へ移行する際に電源オンの動作を実行し、あるいは、ビューファインダ２０が使用状態Ｐ３から収納状態Ｐ１への移行する際に電源オフを行う。なお、図１５に示した処理は、制御部６が、例えばＲＯＭなどに記憶されたプログラムに従って実行する。
【００５８】
非使用時には、ビューファインダ２０は、本体１０の収納状態Ｐ１に収まっている（図１から図３参照。）。このとき、ビューファインダ操作部１０Ｅが掛止機構３４の受け部３４Ｄに保持されていることにより、掛止機構３４の取付部３４Ａの回動が規制され、掛止機構３４の鉤部３４Ｃがスライドフレーム３２の孔３２Ｂに掛合した状態が維持されている（図８参照。）。
【００５９】
撮像装置１の撮影動作を行うにあたっては、まず、ビューファインダ２０について、本体１０に収納された収納状態Ｐ１からポップアップ状態Ｐ２への状態移行であるポップアップ動作を開始する。すなわち、ビューファインダ操作部１０Ｅをスライドさせ、ビューファインダユニット２２を本体１０からポップアップさせる。より詳細には、ビューファインダ操作部１０Ｅをスライドさせることで、ビューファインダ操作部１０Ｅが掛止機構３４の受け部３４Ｄから外れ、掛止機構３４の取付部３４Ａが回動する。これにより、掛止機構３４の鉤部３４Ｃがスライドフレーム３２の孔３２Ｂから脱出する（図９参照。）。その結果、第１弾性部材３３の付勢力によりスライドフレーム３２が本体１０の上方に移動し、ビューファインダユニット２２が本体１０外にポップアップする（図４および図５参照）。ここで検出部９Ｂにより、収納状態Ｐ１からポップアップ状態Ｐ２への状態移行が開始されたかどうか、すなわちビューファインダ２０が収納状態Ｐ１からポップアップ状態Ｐ２へ向けて動き始めたか否かを判別する（ステップＳ１０１）。収納状態Ｐ１からポップアップ状態Ｐ２への状態移行の開始が検出された場合には電源がオンされているかどうか判別する（ステップＳ１０２）。収納状態Ｐ１からポップアップ状態Ｐ２への状態移行の開始が検出されなかった場合は再度ステップＳ１０１を行う。
【００６０】
ステップＳ１０２において、電源ボタン１５により既に電源オンされていると判別した場合にはビューファインダ２０の表示画面を起動（ステップＳ１０３）し、所定の情報やスルー画像を表示する。この際、併せてビューファインダ２０をポップアップ状態Ｐ２から使用状態Ｐ３へ移行させる。ここでは第２移動機構２５を利用して、ビューファインダユニット２２の可動部２２２を本体１０の後方に進出させてもよいし、可動部２２２を手で後方に引き出すようにしてもよい。すなわち、第１移動機構２４および第２移動機構２５の双方を利用して、収納状態Ｐ１から使用状態Ｐ３への状態移行を全自動で行うようにしてもよいし、第２移動機構２５を利用せずに一部を手動で行うようにしてもよい。ステップＳ１０２において電源オンされていないと判別した場合には電源オンを行い（ステップＳ１０４）、さらにステップＳ１０３の処理を行う。なお、制御部６は、電源ボタン１５により電源オンの動作が行われた際、ビューファインダ２０が収納状態Ｐ１またはポップアップ状態Ｐ２にあるときは表示部１２のみの表示動作を実行させるとよい。一方、電源ボタン１５により電源オンの動作が行われた際、ビューファインダ２０が使用状態Ｐ３にあるときは、表示部１２およびビューファインダ２０の表示画面の双方の表示動作を実行させるようにしてもよい。その際、ビューファインダ２０の表示画面には、制御部６により、例えば表示部１２に表示される複数の情報のうちの一部の情報のみを表示させるようにしてもよい。
【００６１】
そののち、制御部６は撮影モードの選択をし、またはその撮影モードの実行を指令する（ステップＳ１０５）。撮影モードとしては、例えば自分撮りモードおよび通常撮像モードに大別され、それぞれ静止画撮像モードおよび動画撮像モードを有する。
【００６２】
続いて、ビューファインダ２０について、使用状態Ｐ３からポップアップ状態Ｐ２に移行させたのち、さらにポップアップ状態Ｐ２から収納状態Ｐ１への状態移行を開始する。すなわち、ビューファインダユニット２２の可動部２２２を前方へ押して化粧部材２３に隠れるようにしたのち、ビューファインダユニット２２および化粧部材２３を下方へ押すことにより本体１０の内部へ収納する。この使用状態Ｐ３から収納状態Ｐ１への状態移行の際に、制御部６により、ビューファインダ２０の表示動作等の機能を終了させてもよい。この際、検出部９Ｂにより、例えばポップアップ状態Ｐ２から収納状態Ｐ１への状態移行が開始されたかどうか、すなわちビューファインダ２０がポップアップ状態Ｐ２から収納状態Ｐ１へ向けて動き始めたか否かを判別する（ステップＳ１０６）。ポップアップ状態Ｐ２から収納状態Ｐ１への状態移行の開始が検出された場合には、電源がオフされているかどうか判別する（ステップＳ１０７）。ポップアップ状態Ｐ２から収納状態Ｐ１への状態移行の開始が検出されなかった場合は再度ステップＳ１０６を行う。
【００６３】
ステップＳ１０７において、電源ボタン１５により既に電源がオフされていると判別した場合にはそのまま一連の動作が終了する。電源がオフされていないと判別した場合には電源オフを行うことで一連の動作が終了する（ステップＳ１０８）。なお、制御部６は、ビューファインダ２０を使用状態Ｐ３から収納状態Ｐ１へと状態移行させたのち、電源をオフせずに撮影モードを継続し、あるいは省電力モード（スリープモード）に移行するようにしてもよい。
【００６４】
図１５では、制御部６は、収納状態Ｐ１からポップアップ状態Ｐ２への移行開始をトリガーとして電源オンを行い、ポップアップ状態Ｐ２から収納状態Ｐ１への移行開始をトリガーとして電源オフを行うようにしたが、本技術では以下のようにしてもよい。例えば、電源オンを、以下の＜１＞から＜３＞のいずれかの検出をトリガーとして行うようにしてもよい。
＜１＞収納状態Ｐ１からポップアップ状態Ｐ２への移行が完了したこと。すなわち、ビューファインダ２０が収納状態Ｐ１から移動してポップアップ状態Ｐ２へ到達したこと。
＜２＞ポップアップ状態Ｐ２から使用状態Ｐ３への移行を開始したこと。すなわち、ビューファインダユニット２２の可動部２２２が本体部２２１の後方へ動き始めたこと。
＜３＞ポップアップ状態Ｐ２から使用状態Ｐ３への移行が完了したこと。すなわち、ビューファインダユニット２２の可動部２２２が本体部２２１の後方への移動を完了することで、ビューファインダ２０が使用状態Ｐ３へ到達したこと。
同様に、電源オフを、以下の＜４＞から＜６＞のいずれかの検出をトリガーとして行うようにしてもよい。
＜４＞ポップアップ状態Ｐ２から収納状態Ｐ１への移行が完了したこと。すなわち、ビューファインダ２０がポップアップ状態Ｐ２から移動して収納状態Ｐ１へ到達したこと。
＜５＞使用状態Ｐ３からポップアップ状態Ｐ２への移行を開始したこと。すなわち、ビューファインダユニット２２の可動部２２２が本体部２２１へ向けて前方へ動き始めたこと。
＜６＞使用状態Ｐ３からポップアップ状態Ｐ２への移行が完了したこと。すなわち、ビューファインダユニット２２の可動部２２２が本体部２２１へ向かう前方への移動を完了することで、ビューファインダ２０がポップアップ状態Ｐ２へ到達したこと。
【００６５】
［３．撮像装置１の作用効果］
このように、撮像装置１では、ビューファインダ２０の状態移行に応じて電源オンの動作および電源オフの動作が制御部６により実行される。このため、使用者は、電源オンの動作および電源オフの動作を、例えば電源ボタン１５の操作により改めて行う必要がない。したがって、この撮像装置１によれば、操作性が向上し、使用者による円滑な撮影が可能となる。
【００６６】
また、撮像装置１では、ビューファインダ２０を、本体１０内に収納された収納状態Ｐ１と本体１０外に突出した使用状態Ｐ３との間で、二以上の方向に移動可能としている。よって、ビューファインダ２０が本体１０に出入りする開口部１３を本体１０の背面１０Ｂ以外に設けることが可能となり、鏡筒の大口径化、表示部１２の大画面化に対応しつつ本体１０を小型化することが可能となる。
【００６７】
＜第２の実施の形態＞
撮像装置１の撮影動作を行う際には、制御部６が、ビューファインダユニット２２における可動部２２２の状態移行に応じて各種の出力動作を行うようにしてもよい。具体的には、撮像装置１は、例えば図１６Ａ，１６Ｂに示したように動作するようにしてもよい。図１６Ａは、撮像装置１の起動から停止までの一連の動作の流れを表す第２のフローチャートである。図１６Ｂは、図１６Ａの一部の処理（ステップＳ２０３）をより詳細に示したフローチャートである。撮像装置１では、制御部６により、ビューファインダユニット２２の可動部２２２の状態移行に応じて各種の出力動作を行うモードの選択が可能となっている。ここでいう各種の出力動作とは、例えば警告表示、警告音の発生または警告振動などである。上記以外の点は実質的に上記第１の実施の形態と同様であるので説明を省略する。なお、図１６Ａ，１６Ｂに示した処理についても、制御部６が、例えばＲＯＭなどに記憶されたプログラムに従って実行する。
【００６８】
撮像装置１の撮影動作を行うにあたっては、まず、電源ボタン１５を押下するなどして電源オンを行う（ステップＳ２０１）。あるいは、上記第１の実施の形態と同様に、ビューファインダ２０についての収納状態Ｐ１と使用状態Ｐ３との間における状態移行に応じて電源オンを行うようにしてもよい。その場合、制御部６は、収納状態Ｐ１から使用状態Ｐ３へ至るまでの任意のタイミングで電源オンを行うことができる。次に、ビューファインダ２０の表示画面を起動し、所定の情報やスルー画像を表示する（ステップＳ２０２）。この際、併せて表示部１２の表示動作の開始を実行してもよい。ビューファインダ２０の表示画面には、撮像中のスルー画像のほか、電池残量や撮影条件（例えばシャッタースピード、絞り値、ｆナンバー、水平度、フラッシュの有無）などの各種情報が表示される。表示部１２には、さらにより多くの情報を表示するようにしてもよい。また、表示部１２には、撮像中のスルー画像を表示せず、文字、図形もしくは記号などによる情報のみを表示するようにしてもよい。また、ビューファインダ２０の表示画面には、例えば表示部１２に表示される複数の情報のうちの一部の情報のみを表示させるようにしてもよい。
【００６９】
次に、ビューファインダ２０が使用状態Ｐ３にあるか否かを判別する（ステップＳ２０３）。ビューファインダ２０が使用状態Ｐ３でない場合としては、可動部２２２が本体部２２１の後方への移動、すなわち引き出し動作が開始されていない場合や、可動部２２２が本体部２２１から後方への移動を開始したものの、引き出された可動部２２２の位置が適切でない場合が挙げられる。あるいは、収納状態Ｐ１から使用状態Ｐ３への全自動での状態移行がなされる途中で、その状態移行の動作が停止してしまう場合も想定される。すなわち、ポップアップ動作の途中でビューファインダ２０が例えば開口部１３の内面に引っかかり、上方への移動を停止してしまう場合や本体部２２１から引き出された可動部２２２が機械的摩擦等により途中で移動を停止してしまう場合などである。これらの場合、覗き窓２１を覗くことができたとしても、ビューファインダ２０の内部に設けられた表示画面の画像はぼやけた状態となる。
【００７０】
ステップＳ２０３では、具体的には図１６Ｂに示したステップＳ２０３ＡからステップＳ２０３Ｄの処理が行われる。まず、ビューファインダ２０が収納状態Ｐ１からポップアップ状態Ｐ２への移動、すなわちポップアップ動作を開始したか否かを判別する（ステップＳ２０３Ａ）。ステップＳ２０３Ａにおいてポップアップ動作を開始したと判別した場合には、ビューファインダ２０がポップアップ状態Ｐ２へ到達したか否かを判別する（ステップＳ２０３Ｂ）。一方、ステップＳ２０３Ａにおいてポップアップ動作を開始していないと判別した場合は、例えば使用者がビューファインダ操作部１０Ｅの操作を失念しているものと考えられる。あるいは、ビューファインダ操作部１０Ｅの操作を適切に行ったものの、何らかの機構上のトラブルによりビューファインダ２０が動いていないものと考えられる。いずれにせよ、そのままではビューファインダ２０の使用ができない状態なので、その場合には例えば表示部１２にその旨を警告表示（ステップＳ２０４）し、再度、ステップＳ２０３Ａに戻る。
【００７１】
ステップＳ２０３Ｂにおいてビューファインダ２０がポップアップ状態Ｐ２へ到達したと判別した場合には、さらに、ビューファインダ２０がポップアップ状態Ｐ２から使用状態Ｐ３への移動を開始したか否かを判別する（ステップＳ２０３Ｃ）。一方、ステップＳ２０３Ｂにおいてビューファインダ２０がポップアップ状態Ｐ２へ到達していないと判別した場合は、例えば使用者がビューファインダ操作部１０Ｅの操作を適切に行ったものの、何らかの機構上のトラブルによりビューファインダ２０が適切な位置までポップアップしていないものと考えられる。そのままではビューファインダ２０の使用ができない状態なので、その場合にも例えば表示部１２にその旨を警告表示（ステップＳ２０４）し、再度、ステップＳ２０３Ａ（またはステップＳ２０３Ｂ）に戻る。
【００７２】
ステップＳ２０３Ｃにおいてビューファインダ２０がポップアップ状態Ｐ２から使用状態Ｐ３への移動を開始したと判別した場合には、ビューファインダ２０が使用状態Ｐ３へ到達したか否かを判別する（ステップＳ２０３Ｄ）。一方、ステップＳ２０３Ｃにおいてビューファインダ２０がポップアップ状態Ｐ２から使用状態Ｐ３への移動を開始していないと判別した場合は、例えば使用者が可動部２２２の引き出し動作を行うのを失念しているものと考えられる。そのままではビューファインダ２０の内部の表示画面がぼやけて視認されることとなるので、その場合にも例えば表示部１２にその旨を警告表示（ステップＳ２０４）し、再度、ステップＳ２０３Ａ（またはステップＳ２０３Ｃ）に戻る。
【００７３】
ステップＳ２０３Ｄにおいてビューファインダ２０が使用状態Ｐ３へ到達したと判別した場合には、ステップＳ２０３が完了する。一方、ステップＳ２０３Ｄにおいてビューファインダ２０が使用状態Ｐ３にないと判別した場合は、例えば使用者が可動部２２２の引き出し動作を開始したものの、適切な位置まで引き出し動作を行わなかったものと考えられる。そのままではビューファインダ２０の内部の表示画面がぼやけて視認されることとなるので、その場合にも表示部１２にその旨を警告表示（ステップＳ２０４）し、再度、ステップＳ２０３Ａ（またはステップＳ２０３Ｄ）に戻る。
【００７４】
ステップＳ２０４では、表示部１２での警告表示のほか、または表示部１２での警告表示と併せて、本体１０に設けたスピーカ６Ａ（図１４）に警告音を発生させ、または本体１０に設けたモータ６Ｂ（図１４）に警告振動をさせるようにしてもよい。あるいは、ステップＳ２０４では、表示部１２での警告表示を行わず、警告音の発生および警告振動のうちの少なくとも一方を実行するようにしてもよい。
【００７５】
ステップＳ２０３が完了したのち、制御部６は動作モードの選択をし、またはその動作モードの実行を指令する（ステップＳ２０５）。撮影モードとしては、例えば静止画撮像モードおよび動画撮像モードがある。
【００７６】
続いて、ビューファインダ２０を、使用状態Ｐ３からポップアップ状態Ｐ２を経由して本体１０に収納された収納状態Ｐ１へと状態移行させる（ステップＳ２０６）。すなわち、ビューファインダユニット２２を前方へ押し、化粧部材２３に隠れるようにしたのち、ビューファインダユニット２２および化粧部材２３を下方へ押すことにより本体１０の内部へ収納する。この使用状態Ｐ３から収納状態Ｐ１への状態移行の際に、制御部６により、ビューファインダ２０の表示動作等の機能を終了させてもよい。
【００７７】
次に、制御部６により、電源がオフされているか否かを判別し（ステップＳ２０７）、電源ボタン１５の操作により既に電源がオフされていると判別した場合にはそのまま一連の動作が終了する。電源がオフされていないと判別した場合には電源のオフを行うことで一連の動作が終了する（ステップＳ２０８）。なお、制御部６は、ビューファインダ２０を、使用状態Ｐ３から収納状態Ｐ１へと状態移行させたのち、電源をオフせずに撮影モードを継続し、あるいは省電力モード（スリープモード）に移行するようにしてもよい。
【００７８】
このように、本実施の形態では、ビューファインダ２０の状態移行に応じて制御部６により各種の出力動作が実行される。このため、使用者は、ビューファインダ２０が適正な使用状態にあるか否かについて瞬時に認識することができる。したがって、本実施の形態によれば、操作性が向上し、使用者による円滑な撮影が可能となる。
【００７９】
なお、本実施の形態では、電源ボタン１５を押下するなどして電源をオンするようにしたが（ステップＳ２０１）、第１の実施の形態と同様に、ビューファインダ２０の収納状態Ｐ１から使用状態Ｐ３への移行の際に電源のオンを実行するようにしてもよい。
【００８０】
また、本実施の形態では、例えば図１６Ｃに示した変形例としてのフローチャートのように、ステップＳ２０２とステップＳ２０３との順序を入れ替えてもよい。すなわち、電源オン（ステップＳ２０１）ののち、ビューファインダ２０が使用状態Ｐ３にあることを確認（ステップＳ２０３）してからビューファインダ２０の表示画面を起動するようにしてもよい（ステップＳ２０２）。
【００８１】
＜第３の実施の形態＞
撮像装置１の撮影動作を行う際には、制御部６が、ビューファインダ２０の状態移行に応じてアイセンサ６０の起動および動作停止を行うようにしてもよい。具体的には、撮像装置１は、例えば図１７Ａ，１７Ｂに示したように動作するようにしてもよい。図１７Ａ，１７Ｂは、撮像装置１の起動から停止までの一連の動作の流れを表す第３のフローチャートである。上記以外の点は実質的に上記第１の実施の形態と同様であるので説明を省略する。なお、図１７Ａ，１７Ｂに示した処理についても、制御部６が、例えばＲＯＭなどに記憶されたプログラムに従って実行する。
【００８２】
本実施の形態では、制御部６により、ビューファインダユニット２２の状態移行に応じてアイセンサ６０のオンおよびオフの少なくとも一方を実行するモードの選択を行うようになっている。さらに、制御部６は、アイセンサ６０によりビューファインダ２０が使用者により使用されていることが検知された場合とそれ以外の場合とで、複数のメカキーの機能の割り当てを変更してもよい。ここでいう、アイセンサ６０によりビューファインダ２０が使用者により使用されていることが検知された場合とは、ビューファインダ２０の覗き窓２１に使用者の眼が接近したことが検知された場合である。また、複数のメカキーの機能割り当ての変更とは、例えばレンズ鏡筒３０Ｂの周囲に設けられたレンズリング３０Ｃ，３０Ｄの機能を、ビューファインダ２０の覗き窓２１を使用者が覗いているか否かにより変更することをいう。より具体的には、例えば覗き窓２１を使用者が覗いていない場合にはレンズリング３０Ｃをシャッタースピードの設定を行う操作部として機能させ、覗き窓２１を使用者が覗いている場合にはレンズリング３０Ｃをフォーカシングを行う操作部として機能させるようにしてもよい。なお、複数のメカキーの機能の割り当ての態様はこれに限定されるものではない。
【００８３】
撮像装置１の撮影動作を行うにあたっては、まず、ビューファインダ２０について、本体１０に収納された収納状態Ｐ１からポップアップ状態Ｐ２への状態移行を開始する。すなわち、ビューファインダ操作部１０Ｅをスライドさせ、ビューファインダユニット２２を本体１０からポップアップさせる。
ここで検出部９Ｂにより、収納状態Ｐ１からポップアップ状態Ｐ２への状態移行が開始されたかどうか、すなわちビューファインダ２０が収納状態Ｐ１からポップアップ状態Ｐ２へ向けて動き始めたか否かを判別する（ステップＳ３０１）。収納状態Ｐ１からポップアップ状態Ｐ２への状態移行の開始が検出された場合には電源がオンされているかどうか判別する（ステップＳ３０２）。収納状態Ｐ１からポップアップ状態Ｐ２への状態移行の開始が検出されなかった場合は再度ステップＳ３０１を行う。
【００８４】
ステップＳ３０２において、電源ボタン１５により既に電源オンされていると判別した場合にはビューファインダ２０の表示画面を起動（ステップＳ３０３）し、所定の情報やスルー画像を表示する。この際、併せてビューファインダ２０をポップアップ状態Ｐ２から使用状態Ｐ３へ移行させる。ステップＳ３０２において電源オンされていないと判別した場合には電源オンを行い（ステップＳ３０４）、さらにステップＳ３０３の処理を行う。なお、制御部６は、電源ボタン１５により電源オンが行われた際、ビューファインダ２０が使用状態Ｐ３にないときは表示部１２のみの表示動作を実行させるとよい。また、ビューファインダ２０の収納状態Ｐ１から使用状態Ｐ３への移行の際（収納状態Ｐ１から使用状態Ｐ３へ至る間のいずれかのタイミングで）自動で電源オンを行うようにしてもよい。さらに、ビューファインダ２０の表示画面には、例えば表示部１２に表示される複数の情報のうちの一部の情報のみを表示させるようにしてもよい。
【００８５】
続いて制御部６は、アイセンサ６０をオンしたのち（ステップＳ３０５）、使用者が覗き窓２１を覗いているかどうかをアイセンサ６０により判別する（ステップＳ３０６）。使用者が覗き窓２１を覗いていると判別した場合には表示部１２の表示面１２Ａの表示をオフする（ステップＳ３０７）。そののち、撮影モードの選択をし、またはその撮影モードの実行を指令する（ステップＳ３０８）。次に、検出部９Ａにより、表示部１２が図１〜図７に示した第１の回転状態（通常撮影状態）であるか、図１２に示した第２の回転状態（反転状態）であるかの検出を行う（ステップＳ３０９）。そこで表示部１２が反転状態であると判別した場合、制御部６はアイセンサ６０をオフする（ステップＳ３１０）。アイセンサ６０が機能した状態では、表示部１２の接近が使用者の眼の接近と誤認され、表示部１２の表示面１２Ａが消灯してしまう。その結果、自分撮りを行う使用者が表示面１２Ａに表示されるべきスルー画像を視認することができなくなってしまうからである。
【００８６】
続いて、ビューファインダ２０について、使用状態Ｐ３からポップアップ状態Ｐ２に移行させたのち、さらにポップアップ状態Ｐ２から収納状態Ｐ１への状態移行を開始する。すなわち、ビューファインダユニット２２の可動部２２２を前方へ押して化粧部材２３に隠れるようにしたのち、ビューファインダユニット２２および化粧部材２３を下方へ押すことにより本体１０の内部へ収納する。この使用状態Ｐ３から収納状態Ｐ１への状態移行の際に、制御部６により、ビューファインダ２０の表示動作等の機能を終了させてもよい。この際、検出部９Ｂにより、例えばポップアップ状態Ｐ２から収納状態Ｐ１への状態移行が開始されたかどうか、すなわちビューファインダ２０がポップアップ状態Ｐ２から収納状態Ｐ１へ向けて動き始めたか否かを判別する（ステップＳ３１１）。ポップアップ状態Ｐ２から収納状態Ｐ１への状態移行の開始が検出された場合には、アイセンサがオンされているかどうか判別する（ステップＳ３１２）。ポップアップ状態Ｐ２から収納状態Ｐ１への状態移行の開始が検出されなかった場合は再度ステップＳ３１１を行う。
【００８７】
ステップＳ３１２においてアイセンサ６０がオンであると判別した場合にはアイセンサ６０をオフする（ステップＳ３１３）。最後に、電源がオフされているかどうか判別する（ステップＳ３１４）。電源ボタン１５の操作により既に電源がオフされていると判別した場合にはそのまま一連の動作が終了する。電源がオフされていないと判別した場合には電源オフを行うことで一連の動作が終了する（ステップＳ３１５）なお、制御部６は、ビューファインダ２０をポップアップ状態Ｐ２から収納状態Ｐ１へと状態移行させたのち、またはアイセンサ６０をオフしたのち、電源をオフせずに撮影モードを継続し、あるいは省電力モード（スリープモード）に移行するようにしてもよい。
【００８８】
なお、制御部６は、電源ボタン１５により電源オンの動作が行われた際、ビューファインダ２０が使用状態Ｐ３にないときは表示部１２のみの表示動作を実行させてもよい。一方、電源ボタン１５により電源オンの動作が行われた際、ビューファインダ２０が使用状態Ｐ３にあるときは表示部１２およびビューファインダ２０の双方の表示動作を実行させるようにしてもよい。
【００８９】
このように、本実施の形態では、ビューファインダ２０の状態移行に応じてアイセンサ６０のオンおよびオフの処理が制御部６により実行される。このため、使用者は、ビューファインダ２０の状態移行の操作とは別の操作としてアイセンサ６０のオンおよびオフの操作を改めて行う必要がない。したがって、本実施の形態によれば、操作性が向上し、使用者による円滑な撮影が可能となる。
【００９０】
図１７Ａ，１７Ｂでは、制御部６は、収納状態Ｐ１からポップアップ状態Ｐ２への移行開始をトリガーとして電源オン、ビューファインダ２０の表示画面の起動およびアイセンサ６０のオンを行うようにした。また、ポップアップ状態Ｐ２から収納状態Ｐ１への移行開始をトリガーとしてアイセンサ６０のオフおよび電源オフを行うようにした。しかしながら、本技術では以下のようにしてもよい。例えば、電源オン、ビューファインダ２０の表示画面の起動およびアイセンサ６０のオンを、以下の＜１＞から＜３＞のいずれかの検出をトリガーとして行うようにしてもよい。
＜１＞収納状態Ｐ１からポップアップ状態Ｐ２への移行が完了したこと。すなわち、ビューファインダ２０が収納状態Ｐ１から移動してポップアップ状態Ｐ２へ到達したこと。
＜２＞ポップアップ状態Ｐ２から使用状態Ｐ３への移行を開始したこと。すなわち、ビューファインダユニット２２の可動部２２２が本体部２２１の後方へ動き始めたこと。
＜３＞ポップアップ状態Ｐ２から使用状態Ｐ３への移行が完了したこと。すなわち、ビューファインダユニット２２の可動部２２２が本体部２２１の後方への移動を完了することで、ビューファインダ２０が使用状態Ｐ３へ到達したこと。
同様に、アイセンサ６０のオフおよび電源オフを、以下の＜４＞から＜６＞のいずれかの検出をトリガーとして行うようにしてもよい。
＜４＞ポップアップ状態Ｐ２から収納状態Ｐ１への移行が完了したこと。すなわち、ビューファインダ２０がポップアップ状態Ｐ２から移動して収納状態Ｐ１へ到達したこと。
＜５＞使用状態Ｐ３からポップアップ状態Ｐ２への移行を開始したこと。すなわち、ビューファインダユニット２２の可動部２２２が本体部２２１へ向けて前方へ動き始めたこと。
＜６＞使用状態Ｐ３からポップアップ状態Ｐ２への移行が完了したこと。すなわち、ビューファインダユニット２２の可動部２２２が本体部２２１へ向かう前方への移動を完了することで、ビューファインダ２０がポップアップ状態Ｐ２へ到達したこと。
【００９１】
以上、実施の形態を挙げて本開示を説明したが、本開示は上記実施の形態に限定されるものではなく、種々の変形が可能である。例えば、第１移動機構２４、第２移動機構２５、電気的移動機構２７の構成は、上記実施の形態で説明した例に限られず、他の構成を有していてもよい。
【００９２】
また、例えば、上記実施の形態では、ビューファインダ２０が本体１０の上方および後方の二方向に可動な場合について説明した。しかしながら、ビューファインダ２０は二方向に限らず三方向以上に可動とすることも可能である。また、ビューファインダ２０の動く方向や経路は特に限定されず、例えば縦位置撮影の場合には本体１０の横方向（Ｘ方向）に突出したのち本体１０の後方（Ｚ方向）に進出するようにすることも可能である。
【００９３】
また、上記実施の形態では、本体１０で撮像された画像を本体１０に付属する表示部１２に表示するようにした場合について説明したが、表示部１２に代えてスマートフォン（多機能携帯電話）のディスプレイやパーソナルコンピュータのモニタを用いることも可能である。
【００９４】
また、例えば、上記実施の形態において説明した各構成要素の形状、寸法および材料などは限定されるものではなく、他の形状、寸法および材料としてもよい。
【００９５】
また、例えば、上記実施の形態では、撮像装置１の構成を具体的に挙げて説明したが、全ての構成要素を備える必要はなく、また、他の構成要素を更に備えていてもよい。
【００９６】
なお、本明細書中に記載された効果はあくまで例示であってその記載に限定されるものではなく、他の効果があってもよい。また、本技術は以下のような構成を取り得るものである。
（１）
撮像部が設けられた本体と、
前記本体に収納された収納状態と前記本体から突出した使用状態との間における状態移行が可能なビューファインダと、
前記ビューファインダが使用者により使用されていることを検出する第１の検出部と、
前記状態移行に応じて前記第１の検出部のオンまたは前記第１の検出部のオフを行う制御部と
を備えた撮像装置。
（２）
前記ビューファインダは、前記状態移行の際に二以上の方向に移動する
上記（１）記載の撮像装置。
（３）
前記ビューファインダは、
本体部と、前記本体部に対して移動可能な可動部とを有し、
前記収納状態から前記本体部が前記筐体の上方へ突出したポップアップ状態へ移行したのち、前記ポップアップ状態から前記可動部が前記本体部の後方へ進出することにより前記使用状態に移行する
上記（２）記載の撮像装置。
（４）
前記制御部は、前記収納状態から前記ポップアップ状態へ移行する際に前記第１の検出部のオンを行う
上記（３）記載の撮像装置。
（５）
前記制御部は、前記収納状態から前記ポップアップ状態への移行開始または移行完了と共に前記第１の検出部のオンを行う
上記（４）記載の撮像装置。
（６）
前記制御部は、前記ポップアップ状態から前記使用状態への移行開始または移行完了と共に前記第１の検出部のオンを行う
上記（４）または（５）に記載の撮像装置。
（７）
前記制御部は、前記ポップアップ状態から前記収納状態へ移行する際に前記第１の検出部のオフを行う
上記（３）から（６）のいずれか１つに記載の撮像装置。
（８）
前記制御部は、前記使用状態から前記ポップアップ状態への移行開始または移行完了と共に前記第１の検出部のオフを行う
上記（７）記載の撮像装置。
（９）
前記制御部は、前記ポップアップ状態から前記収納状態への移行開始または移行完了と共に前記第１の検出部のオフを行う
上記（７）または（８）に記載の撮像装置。
（１０）
複数のメカキーをさらに備え、
前記制御部は、前記第１の検出部により前記ビューファインダが使用者により使用されていることが検出された場合とそれ以外の場合とで、前記複数のメカキーの機能の割り当てを変更する
上記（１）から（９）のいずれか１つに記載の撮像装置。
（１１）
前記本体に対して回転可能に設けられた表示部と、
前記表示部の回転を検出する第２の検出部と
をさらに備え、
前記制御部は、前記第２の検出部により前記表示部の回転が検出された場合に、前記第１の検出部の動作停止を実行するモードの選択を行う
上記（１）から（１０）のいずれか１つに記載の撮像装置。
（１２）
前記制御部は、前記状態移行に応じて電源オンまたは電源オフをさらに行う
上記（１）記載の撮像装置。
（１３）
表示部をさらに備え、
前記制御部は、前記状態移行に応じて前記表示部の表示動作の開始または終了を行う
上記（１）記載の撮像装置。
（１４）
前記ビューファインダは電子ビューファインダであり、
前記制御部は、前記表示部に複数の情報を表示させ、前記電子ビューファインダに前記複数の情報のうちの一部の情報を表示させる
上記（１３）記載の撮像装置。
（１５）
前記ビューファインダは電子ビューファインダであり、
前記制御部は、前記収納状態から前記使用状態への移行の際に前記電子ビューファインダの動作を起動させる
上記（１）から（１４）のいずれか１つに記載の撮像装置。
（１６）
前記ビューファインダは電子ビューファインダであり、
前記制御部は、前記使用状態から前記収納状態への移行の際に前記電子ビューファインダの動作を停止させる
上記（１）から（１５）のいずれか１つに記載の撮像装置。
（１７）
前記制御部は、前記収納状態から前記使用状態への移行の際に電源オンを行う
上記（１）から（１６）のいずれか１つに記載の撮像装置。
（１８）
前記制御部は、前記使用状態から前記収納状態への移行の際に電源オフを行う
上記（１）から（１７）のいずれか１つに記載の撮像装置。
（１９）
表示部と、電源オンを行う電源ボタンとをさらに備え、
前記ビューファインダは電子ビューファインダであり、
前記制御部は、前記電源ボタンにより電源オンが行われた際、前記電子ビューファインダが前記収納状態にあるときは前記表示部のみに表示動作を実行させ、前記電子ビューファインダが前記使用状態にあるときは前記表示部および前記電子ビューファインダの双方に表示動作を実行させる
上記（１）から（１８）のいずれか１つに記載の撮像装置。
（２０）
記憶部をさらに備え、
前記ビューファインダは、本体部と、前記本体部に対して移動可能な可動部と、観察者に応じた視度調整を行う視度調整部とを有し、
前記記憶部には、前記視度調整部による前記使用者に応じた視度調整のデータが格納される
上記（１）から（１９）のいずれか１つに記載の撮像装置。
【符号の説明】
【００９７】
１，１Ａ…撮像装置、２…撮像部、２Ａ…撮像素子、３…画像信号処理部、４…エンコード／デコード部、５…画像メモリ、６…制御部、７…記録／再生部、８…入力部、９Ａ，９Ｂ…検出部、１０…本体、１０Ａ…前面、１０Ｂ…背面、１０Ｃ…上面、１０Ｄ…側面、１０Ｅ…ビューファインダ操作部、１１…ボディマウント、１２…表示部、１３…開口部、１４…ストロボ、１５…電源ボタン、１６…レリーズボタン、１７…モード設定ダイヤル、２０…ビューファインダ、２１…覗き窓、２２…ビューファインダユニット、２２１…可動部、２２２…本体部、２２Ａ…接眼面、２３…化粧部材、２４…第１移動機構、２５…第２移動機構、２６…視度調整部、２７…電気的移動機構、３０…撮像レンズユニット、３０Ａ…レンズ、３０Ｂ…レンズ鏡筒、３０Ｃ，３０Ｄ…レンズリング、３１，５１…ベースフレーム、３２，５２…スライドフレーム、３３…第１弾性部材、３４…掛止部材、４１…第２弾性部材、５３…ラック、５４…モータ、５４Ａ…ウォームギア、６０，６０Ａ…アイセンサ、Ｐ１…収納状態、Ｐ２…ポップアップ状態、Ｐ３…使用状態。
【図１】
2015227901.tif 000003
【図２】
2015227901.tif 000004
【図３】
2015227901.tif 000005
【図４】
2015227901.tif 000006
【図５】
2015227901.tif 000007
【図６】
2015227901.tif 000008
【図７】
2015227901.tif 000009
【図８】
2015227901.tif 000010
【図９】
2015227901.tif 000011
【図１０Ａ】
2015227901.tif 000012
【図１０Ｂ】
2015227901.tif 000013
【図１１Ａ】
2015227901.tif 000014
【図１１Ｂ】
2015227901.tif 000015
【図１２】
2015227901.tif 000016
【図１３Ａ】
2015227901.tif 000017
【図１３Ｂ】
2015227901.tif 000018
【図１４】
2015227901.tif 000019
【図１５】
2015227901.tif 000020
【図１６Ａ】
2015227901.tif 000021
【図１６Ｂ】
2015227901.tif 000022
【図１６Ｃ】
2015227901.tif 000023
【図１７Ａ】
2015227901.tif 000024
【図１７Ｂ】
2015227901.tif 000025